(57)【要約】【課題】印刷後にガラス等の透明板に貼付した際、該透明板を通して、布帛に印刷した絵、文字、図形等を良好に視認することができ、かつ、貼付の際に、弛んだり、捻じれたりせず、該透明板に極めて容易かつ良好に貼付することができる印刷用布帛構造体を提供する。【解決手段】印刷インクを受容し得る樹脂を含浸した布帛、粘着剤層及び剥離紙を順次備える印刷用布帛構造体であって、印刷インクを受容し得る樹脂が、ポリアミン系樹脂、（メタ）アクリル酸エステル系樹脂及びポリウレタン系樹脂より成る群から選ばれる一つ以上の樹脂であり、かつ粘着剤層が透明であることを特徴とする印刷用布帛構造体、及び、上記布帛と粘着剤層との間に、布帛側から接着剤層及びフィルム層を更に備え、かつ接着剤層、フィルム層及び粘着剤層がいずれも透明であることを特徴とする印刷用布帛構造体である。【選択図】図１
2012018348.tif 000002
【特許請求の範囲】
【請求項１】
印刷インクを受容し得る樹脂を含浸した布帛、粘着剤層及び剥離紙を順次備える印刷用布帛構造体であって、印刷インクを受容し得る樹脂が、ポリアミン系樹脂、（メタ）アクリル酸エステル系樹脂及びポリウレタン系樹脂より成る群から選ばれる一つ以上の樹脂であり、かつ粘着剤層が透明であることを特徴とする印刷用布帛構造体。
【請求項２】
印刷インクを受容し得る樹脂を含浸した布帛がポリエステルであり、かつ粘着剤層を構成する粘着剤がアクリル系粘着剤である、請求項１記載の印刷用布帛構造体。
【請求項３】
粘着剤層の厚みが１０〜３０μｍである、請求項１又は２記載の印刷用布帛構造体。
【請求項４】
上記布帛が、更にシリカを含む、請求項１〜３のいずれか一つに記載の印刷用布帛構造体。
【請求項５】
印刷インクを受容し得る樹脂を含浸した布帛、粘着剤層及び剥離紙を順次備える印刷用布帛構造体であって、上記布帛と粘着剤層との間に、布帛側から接着剤層及びフィルム層を更に備え、かつ接着剤層、フィルム層及び粘着剤層がいずれも透明であることを特徴とする印刷用布帛構造体。
【請求項６】
印刷インクを受容し得る樹脂がポリアミン系樹脂、（メタ）アクリル酸エステル系樹脂及びポリウレタン系樹脂より成る群から選ばれる一つ以上の樹脂である、請求項５記載の印刷用布帛構造体。
【請求項７】
印刷インクを受容し得る樹脂を含浸した布帛がポリエステルであり、接着剤層を構成する接着剤がアクリル系接着剤であり、フィルムがポリエチレンテレフタレートフィルムであり、かつ粘着剤がアクリル系粘着剤である、請求項５又は６記載の印刷用布帛構造体。
【請求項８】
接着剤層の厚みが１５〜３５μｍであり、粘着剤層の厚みが１０〜３０μｍであり、かつ、接着剤層の接着力が粘着剤層の粘着力より大きい、請求項５〜７のいずれか一つに記載の印刷用布帛構造体。
【請求項９】
上記布帛が、更にシリカを含む、請求項５〜８のいずれか一つに記載の印刷用布帛構造体。
【請求項１０】
布帛に印刷を施した構造体から剥離紙を除去し、残存する粘着剤層を介して該構造体を透明板に貼付し、該透明板を通して布帛の印刷を視認し得る、請求項１〜９のいずれか一つに記載の印刷用布帛構造体。
【発明の詳細な説明】
【技術分野】
【０００１】
本発明は、印刷用布帛構造体に関し、更に詳しくは、印刷後にガラス等の透明板に貼付して、該透明板を通して印刷した絵、文字、図形等を視認することができる印刷用布帛構造体に関する。
【背景技術】
【０００２】
従来、例えば、特許文献１に記載されているような、表面に印刷インク受容層を備える印刷用布帛であって、裏面に接着剤層及び剥離紙を順次備え、前記剥離紙を剥離したときに前記接着剤層が前記布帛側に残留することを特徴とする印刷用布帛が知られている。これは、スポーツ競技者用ゼッケン、ワッペン、ポスター、ラベル、シール等に使用されるものである。
【０００３】
広告に使用するのぼり旗及び旗等の印刷された布帛では、これら布帛の両面から、印刷された絵、文字及び図形等を視認することができるものもある。しかし、印刷した面とは反対の面側から見た際には、その印刷がぼやけて不鮮明であるものが殆どであった。また、このような印刷された布帛に粘着剤を塗布して、例えば、ガラス板等に接着すると、接着の際に布帛が弛んだり、捻じれたりして、ガラス板等にピタリと接着することは容易ではなかった。
【先行技術文献】
【特許文献】
【０００４】
【特許文献１】特開２００９−７５２２７号公報
【発明の概要】
【発明が解決しようとする課題】
【０００５】
本発明は、印刷後にガラス等の透明板に貼付した際、該透明板を通して、布帛に印刷した絵、文字、図形等を良好に視認することができ、かつ、貼付の際に、弛んだり、捻じれたりせず、該透明板に極めて容易かつ良好に貼付することができる印刷用布帛構造体を提供するものである。
【課題を解決するための手段】
【０００６】
本発明者らは、上記課題を解決すべく種々の検討を重ねた。その結果、従来から広告に使用されている、のぼり旗及び旗等の布帛において、印刷した面とは反対の面側から、印刷された絵、文字及び図形等を見た際に、その印刷が不鮮明であるのは、  印刷インク受容層として使用されている樹脂に原因があるのではないかと考えた。しかし、それを解決し得る樹脂を選択して、反対の面側から、印刷された絵、文字及び図形等を良好に視認できるようにしても、ガラス等の透明板への貼付の際に、弛んだり、捻じれたりしたのでは、上記課題を解決できない。そこで、本発明者らは、反対の面側から、印刷された絵、文字及び図形等を良好に視認し得るばかりではなく、布帛に含浸せしめると布帛が、ガラス等の透明板への貼付の際に、弛んだり、捻じれたりしなくなるような樹脂を見出すべく、更に、検討を重ねた。その結果、下記所定の樹脂を使用すれば、上記課題を解決し得ることを見出し、本発明を完成するに至った。
【０００７】
即ち、本発明は、
（１）印刷インクを受容し得る樹脂を含浸した布帛、粘着剤層及び剥離紙を順次備える印刷用布帛構造体であって、印刷インクを受容し得る樹脂が、ポリアミン系樹脂、（メタ）アクリル酸エステル系樹脂及びポリウレタン系樹脂より成る群から選ばれる一つ以上の樹脂であり、かつ粘着剤層が透明であることを特徴とする印刷用布帛構造体
である。
【０００８】
好ましい態様として、
（２）印刷インクを受容し得る樹脂を含浸した布帛が、再生繊維、半合成繊維、合成繊維及び天然繊維より成る群から選ばれる、上記（１）記載の印刷用布帛構造体、
（３）印刷インクを受容し得る樹脂を含浸した布帛が、ポリエステル、ポリアミド、レーヨン、キュプラ、アセテート、ビニロン、ポリプロピレン、綿、麻、羊毛及び絹より成る群から選ばれる、上記（１）記載の印刷用布帛構造体、
（４）印刷インクを受容し得る樹脂を含浸した布帛が、ポリエステル、ポリアミド、レーヨン、キュプラ、アセテート、ビニロン及び絹より成る群から選ばれる、上記（１）記載の印刷用布帛構造体、
（５）印刷インクを受容し得る樹脂を含浸した布帛が、ポリエステルである、上記（１）記載の印刷用布帛構造体、
（６）粘着剤層を構成する粘着剤が、アクリル系粘着剤、ウレタン系粘着剤及びポリエステル系粘着剤より成る群から選ばれる、上記（１）〜（５）のいずれか一つに記載の印刷用布帛構造体、
（７）粘着剤層を構成する粘着剤が、アクリル系粘着剤である、上記（１）〜（５）のいずれか一つに記載の印刷用布帛構造体、
（８）粘着剤層の厚みが１０〜３０μｍである、上記（１）〜（７）のいずれか一つに記載の印刷用布帛構造体、
（９）粘着剤層の厚みが１５〜２５μｍである、上記（１）〜（７）のいずれか一つに記載の印刷用布帛構造体、
（１０）上記布帛が、更にシリカを含む、上記（１）〜（９）のいずれか一つに記載の印刷用布帛構造体
を挙げることができる。
【０００９】
また、本発明者らは、布帛に含浸せしめると布帛が貼付の際に、弛んだり、捻じれたりしなくなるような樹脂に代えて、所定の透明なフィルムを使用すれば、  印刷した際に、反対の面側から印刷された絵、文字及び図形等を良好に視認できる樹脂の全てを、印刷インク受容層に使用でき、好ましくは、上記のように、布帛に含浸せしめると布帛が貼付の際に、弛んだり、捻じれたりしなくなるような樹脂を使用すれば、より一層良好な印刷用布帛構造体が得られることを見出した。
【００１０】
即ち、本発明は、
（１１）印刷インクを受容し得る樹脂を含浸した布帛、粘着剤層及び剥離紙を順次備える印刷用布帛構造体であって、上記布帛と粘着剤層との間に、布帛側から接着剤層及びフィルム層を更に備え、かつ接着剤層、フィルム層及び粘着剤層がいずれも透明であることを特徴とする印刷用布帛構造体
である。
【００１１】
好ましい態様として、
（１２）印刷インクを受容し得る樹脂がポリアミン系樹脂、（メタ）アクリル酸エステル系樹脂及びポリウレタン系樹脂より成る群から選ばれる一つ以上の樹脂である、上記（１１）記載の印刷用布帛構造体、
（１３）印刷インクを受容し得る樹脂を含浸した布帛が、再生繊維、半合成繊維、合成繊維及び天然繊維より成る群から選ばれる、上記（１１）又は（１２）記載の印刷用布帛構造体、
（１４）印刷インクを受容し得る樹脂を含浸した布帛が、ポリエステル、ポリアミド、レーヨン、キュプラ、アセテート、ビニロン、ポリプロピレン、綿、麻、羊毛及び絹より成る群から選ばれる、上記（１１）又は（１２）記載の印刷用布帛構造体、
（１５）印刷インクを受容し得る樹脂を含浸した布帛が、ポリエステル、ポリアミド、レーヨン、キュプラ、アセテート、ビニロン及び絹より成る群から選ばれる、上記（１１）又は（１２）記載の印刷用布帛構造体、
（１６）印刷インクを受容し得る樹脂を含浸した布帛が、ポリエステルである、上記（１１）又は（１２）記載の印刷用布帛構造体、
（１７）接着剤層を構成する接着剤が、アクリル系接着剤、ウレタン系接着剤及びポリエステル系接着剤より成る群から選ばれる、上記（１１）〜（１６）のいずれか一つに記載の印刷用布帛構造体、
（１８）接着剤層を構成する接着剤が、アクリル系接着剤である、上記（１１）〜（１６）のいずれか一つに記載の印刷用布帛構造体、
（１９）粘着剤層を構成する粘着剤が、アクリル系粘着剤、ウレタン系粘着剤及びポリエステル系粘着剤より成る群から選ばれる、上記（１１）〜（１８）のいずれか一つに記載の印刷用布帛構造体、
（２０）粘着剤層を構成する粘着剤が、アクリル系粘着剤である、上記（１１）〜（１８）のいずれか一つに記載の印刷用布帛構造体、
（２１）接着剤層の接着力が粘着剤層の粘着力より大きい、上記（１１）〜（２０）のいずれか一つに記載の印刷用布帛構造体、
（２２）接着剤層の厚みが１５〜３５μｍである、上記（１１）〜（２１）のいずれか一つに記載の印刷用布帛構造体、
（２３）接着剤層の厚みが２０〜３０μｍである、上記（１１）〜（２１）のいずれか一つに記載の印刷用布帛構造体、
（２４）粘着剤層の厚みが１０〜３０μｍである、上記（１１）〜（２３）のいずれか一つに記載の印刷用布帛構造体、
（２５）粘着剤層の厚みが１５〜２５μｍである、上記（１１）〜（２４）のいずれか一つに記載の印刷用布帛構造体、
（２６）フィルムが、ポリエチレンテレフタレートフィルム、ポリプロピレンフィルム、ポリアミドフィルム、ポリ塩化ビニルフィルム、ポリカーボネートフィルム及びエチレン酢酸ビニル共重合体フィルムより成る群から選ばれる、上記（１１）〜（２５）のいずれか一つに記載の印刷用布帛構造体、
（２７）フィルムがポリエチレンテレフタレートフィルムである、上記（１１）〜（２５）のいずれか一つに記載の印刷用布帛構造体、
（２８）フィルムの厚みが１５〜３５μｍである、上記（１１）〜（２７）のいずれか一つに記載の印刷用布帛構造体、
（２９）フィルムの厚みが２０〜３０μｍである、上記（１１）〜（２７）のいずれか一つに記載の印刷用布帛構造体、
（３０）上記布帛が、更にシリカを含む、上記（１１）〜（２９）のいずれか一つに記載の印刷用布帛構造体
を挙げることができる。
【００１２】
また、本発明は、
（２９）布帛に印刷を施した構造体から剥離紙を除去し、残存する粘着剤層を介して該構造体を透明板に貼付し、該透明板を通して布帛の印刷を視認し得る、上記（１）〜（２８）のいずれか一つに記載の印刷用布帛構造体
である。
【発明の効果】
【００１３】
本発明の印刷用布帛構造体は、印刷後にガラス等の透明板に貼付した際、該透明板を通して印刷した絵、文字、図形等を良好に視認することができるばかりではなく、透明板に極めて容易かつ良好に貼付することができる。更には、現在、一般家庭及びオフィス等において普及しているパソコン及びカラープリンター、例えば、インクジェットプリンター及びレーザープリンターを使用して、簡単に印刷することができる。
【図面の簡単な説明】
【００１４】
【図１】図１は、本発明の印刷用布帛構造体の一実施態様の断面を模式的に示した説明図である。（実施例１）
【図２】図２は、本発明の印刷用布帛構造体の他の一実施態様の断面を模式的に示した説明図である。（実施例２）
【発明を実施するための形態】
【００１５】
本発明のフィルムを使用しない態様の印刷用布帛構造体において、使用する印刷インクを受容し得る樹脂は、布帛に含浸させると布帛自体にある程度の剛性を付与し得るものであれば、特に制限はない。好ましくは、ポリアミン系樹脂、（メタ）アクリル酸エステル系樹脂及びポリウレタン系樹脂より成る群から選ばれる一つ以上の樹脂が使用される。より好ましくは、ポリアミン系樹脂、（メタ）アクリル酸エステル系樹脂及びポリウレタン系樹脂の組み合わせが使用される。ポリアミン系樹脂としては、例えば、ポリアルキレンポリアミン樹脂、ポリアミンポリ尿素系樹脂、変性ポリアミン樹脂、ポリアルキレンポリアミン尿素ホルマリン樹脂及びポリアルキレンポリアミンポリアミドポリ尿素樹脂等が挙げられる。（メタ）アクリル酸エステル系樹脂としては、例えば、エステル基を持つアクリル酸エステル若しくはメタクリル酸エステルを有する重合物であって、（メタ）アクリル酸メチル、（メタ）アクリル酸エチル、（メタ）アクリル酸ブチル等のアク リル酸エステル若しくはメタクリル酸エステルを単独で重合した重合物、又は（メタ）アクリル酸エステルとアクリロニトリル、スチレン、酢酸ビニル、エチレン等の他のモノマーとを共重合させて得られる共重合物等、（メタ）アクリル酸エステル基含有高分子が挙げられる。共重合物としては、例えば、（メタ）アクリル・スチレン共重合物、（メタ）アクリル・アクリロニトリル共重合物、（メタ）アクリル・酢酸ビニル共重合物、（メタ）アクリル・酢酸ビニル・エチレン共重合物等が挙げられる。また、ポリウレタン系樹脂としては、イソシアネート成分とポリオール成分との反応から得られる重合体が挙げられる。ここで、イソシアネート成分としては、例えば、芳香族ジイソシアネート、脂肪族ジイソシアネート、脂環族ジイソシアネート等が挙げられる。例えば、トリレン−２，４−ジイソシアネート、４，４’−ジフェニルメタンジイソシアネート、１，６−ヘキサンジイソシアネート、１，４−シクロヘキサンジイソシアネート又は３官能以上のイソシアネートが挙げられる。ポリオール成分としては、例えば、ポリエーテルポリオール及びポリエステルポリオール等が挙げられる。ポリエーテルポリオールとしては、例えば、ポリエチレングリコール、ポリプロピレングリコール又はポリテトラエチレングリコール等が挙げられ、ポリエステルポリオールとしては、例えば、エチレングリコール及びプロピレングリコール等のジオールと、アジピン酸及びセバチン酸等の二塩基酸との反応生成物、又はカプロラクトン等の開環重合物が挙げられ、オキシ酸モノマー若しくはそのプレポリマーの重合物等も挙げることができる。これらの樹脂を布帛に含浸させるために、予め水等に分散させた分散物の市販品を使用することができる。ポリアミン系樹脂としては、例えば、ポリアミン系樹脂を主成分とする水系分散物［高松油脂株式会社製ソフナーＡＥ（商標）］等が使用され、（メタ）アクリル酸エステル系樹脂としては、例えば、カチオン性メタクリル酸エステル共重合体エマルジョン［高松油脂株式会社製ＡＳＡ−１９７（商標）］等が使用され、ポリウレタン系樹脂としては、例えば、カチオン性ポリマー分散物［高松油脂株式会社製Ｅ��−０９８０（商標）］等が使用される。ポリアミン系樹脂、（メタ）アクリル酸エステル系樹脂及びポリウレタン系樹脂の組み合わせを使用するに際しては、ポリアミン系樹脂を主成分とする水系分散物［高松油脂株式会社製ソフナーＡＥ（商標）］、カチオン性メタクリル酸エステル共重合体エマルジョン［高松油脂株式会社製ＡＳＡ−１９７（商標）］、カチオン性ポリマー分散物［高松油脂株式会社製ＥＰ−０９８０（商標）］及び水が重量比で１：１：１：４である混合物を布帛に塗布して含浸することが好ましい。
【００１６】
上記の印刷インクを受容し得る樹脂が含浸される布帛を構成する繊維の種類に特に制限はなく、再生繊維、半合成繊維、合成繊維及び天然繊維を使用することができる。例えば、ポリエステル、ポリアミド、レーヨン、キュプラ、アセテート、ビニロン、ポリプロピレン、綿、麻、羊毛及び絹より成る群から選ばれる。布帛を構成する繊維は、透明な繊維であることが好ましく、例えば、ポリエステル、ポリアミド、レーヨン、キュプラ、アセテート、ビニロン及び絹より成る群から選ばれる。より好ましくは、ポリエステル繊維から成る布帛が使用される。該布帛は、織物に限らず、編物、不織布等であることができる。
【００１７】
本発明のフィルムを使用しない態様の印刷用布帛構造体においては、印刷インクを受容し得る樹脂を含浸した布帛に続いて、順次、粘着剤層及び剥離紙を備える。粘着剤層を構成する粘着剤としては、通常、剥離紙用の粘着剤として使用されているものであれば、制限はない。例えば、アクリル系粘着剤、ウレタン系粘着剤及びポリエステル系粘着剤より成る群から選ばれる。好ましくはアクリル系粘着剤が使用される。該粘着剤層の厚みは、好ましくは１０〜３０μｍ、より好ましくは１５〜２５μｍである。
【００１８】
また、本発明のフィルムを使用しない態様の印刷用布帛構造体において、上記の布帛には、更にシリカを含めることができる。これにより、印刷した際に、印刷した絵、文字、図形等の滲みを防止することができる。その他、必要に応じて、酸化防止剤、紫外線吸収剤、防炎剤、抗菌剤等の添加剤を含めることができる。
【００１９】
本発明のフィルムを使用する態様の印刷用布帛構造体においては、使用する印刷インクを受容し得る樹脂に特に制限はない。好ましくは、上記のフィルムを使用しない態様の印刷用布帛構造体と同様に、ポリアミン系樹脂、（メタ）アクリル酸エステル系樹脂及びポリウレタン系樹脂より成る群から選ばれる一つ以上の樹脂が使用される。これにより、フィルムの作用との組み合わせにより、より一層、弛み及び捻じれのない印刷用布帛構造体とすることができる。
【００２０】
本発明のフィルムを使用する態様の印刷用布帛構造体においては、上記のフィルムを使用しない態様の印刷用布帛構造体に加えて、印刷インクを受容し得る樹脂を含浸した布帛と粘着剤層との間に、布帛側から接着剤層及びフィルム層を更に備える。ここで、接着剤層に使用する接着剤としては、上記粘着剤層に使用する粘着剤より接着強度の強いものが使用される。これにより、剥離紙を剥がす際に、剥離紙を容易かつ確実に剥がすことができる。該接着剤としては、例えば、アクリル系接着剤、ウレタン系接着剤及びポリエステル系接着剤より成る群から選ばれる。好ましくはアクリル系接着剤が使用される。該接着剤層の厚みは、好ましくは１５〜３５μｍ、より好ましくは２０〜３０μｍである。
【００２１】
また、該態様において使用するフィルムとしては、透明なものであれば特に制限はない。例えば、ポリエチレンテレフタレートフィルム、ポリプロピレンフィルム、ポリアミドフィルム、ポリ塩化ビニルフィルム、ポリカーボネートフィルム及びエチレン酢酸ビニル共重合体フィルムより成る群から選ばれる。好ましくは、ポリエチレンテレフタレートフィルムが使用される。ポリエチレンテレフタレートフィルムを使用することにより、印刷用布帛構造体に適度な剛性と良好な透明性を付与することができる。その他の構成は、上記のフィルムを使用しない態様の印刷用布帛構造体と同様である。
【００２２】
（実施例）
実施例において使用した材料は、下記の通りである。
布帛：ポリエステル繊維から成る織物、経糸８４ｄｔｅｘ、緯糸８４ｄｔｅｘ［東レ株式会社製ポンジー（商標）］
フィルム：ポリエチレンテレフタレートフィルム、厚さ２５μｍ［東レ株式会社製テトロン（商標）］
接着剤（布帛とフィルムを接着しているもの）：アクリル系接着剤［日栄加工株式会社製、Ｓ−９２０（商標）］
粘着剤（フィルムと剥離紙、又は布帛と剥離紙を接着しているもの）：アクリル系接着剤［高松油脂株式会社製、Ｈ−１０５（商標）］
剥離紙：厚さ１５μｍ
【００２３】
（実施例１）
印刷インクを受容し得る樹脂として、カチオン性メタクリル酸エステル共重合体エマルジョン［高松油脂株式会社製ＡＳＡ−１９７（商標）］、ポリアミン系樹脂を主成分とする水系分散物［高松油脂株式会社製ソフナーＡＥ（商標）］、カチオン性ポリマー分散物［高松油脂株式会社製ＥＰ−０９８０（商標）］及び水を、重量比１：１：１：４で混合したものを使用した。次いで、得られた混合物を布帛に塗布して含浸せしめた後、布帛を乾燥した。このようにして得られた、印刷インクを受容し得る樹脂が含浸された布帛に、粘着剤を使用して剥離紙を接着せしめた。粘着剤層の厚さは、２０μｍであった。製造された印刷用布帛構造体の断面を、図１に模式的に示した。
【００２４】
製造された印刷用布帛構造体の布帛面に、所定の文字を印刷し、次いで、それを縦３０ｃｍ×横５０ｃｍの大きさに切断して、広告用の布帛構造体とし、剥離紙を剥がしてガラス面に貼付した。所定の文字はガラス面を通して良好に視認することができた。また、ガラス面への接着の際、布帛が弛んだり、捻じれたりすることなく、ガラス面に容易にピタリと貼付することができた。
【００２５】
（実施例２）
得られた印刷インクを受容し得る樹脂が含浸された布帛に、接着剤を介してフィルムを接着し、次いで、該フィルムに、粘着剤を使用して剥離紙を接着せしめたこと以外は、実施例１と同一にして印刷用布帛構造体を製造した。ここで、接着剤層の厚さは、２５μｍであり、粘着剤層の厚さは、２０μｍであった。製造された印刷用布帛構造体の断面を、図２に模式的に示した。
【００２６】
次いで、実施例１と同様にして、製造された印刷用布帛構造体の布帛面に、所定の文字を印刷し、次いで、それを縦３０ｃｍ×横５０ｃｍの大きさに切断して、広告用の布帛構造体とし、剥離紙を剥がしてガラス面に貼付した。所定の文字はガラス面を通して良好に視認することができた。また、ガラス面への接着の際、布帛が弛んだり、捻じれたりすることなく、ガラス面に容易にピタリと貼付することができた。該実施例で製造した布帛構造体は、フィルムが備えられていることから、実施例１の布帛構造体に比べて、より一層、ガラス面への貼付が容易であった。
【産業上の利用可能性】
【００２７】
本発明の印刷用布帛構造体は、印刷後にガラス等の透明板に貼付した際、該透明板を通して印刷した絵、文字、図形等を良好に視認することができるばかりではなく、透明板に極めて容易かつ良好に貼付することができる。従って、店舗、事務所等の窓ガラス、店舗のショーウインドウ等に内部から貼付することにより、商品等の宣伝広告等に使用することができる。また、現在、一般家庭及びオフィス等において普及しているパソコン及びカラープリンター、例えば、インクジェットプリンター及びレーザープリンターを使用して、簡単に印刷することができる故に、一般家庭及びオフィス等においての使用が大いに期待される。
【符号の説明】
【００２８】
１  印刷インクを受容し得る樹脂を含浸した布帛
２  粘着剤層
３  剥離紙
４  接着剤層
５  フィルム層
【図１】
2012018348.tif 000003
【図２】
2012018348.tif 000004